【手続補正書】
【提出日】平成22年7月5日(2010.7.5)
【手続補正１】
【補正対象書類名】特許請求の範囲
【補正対象項目名】全文
【補正方法】変更
【補正の内容】
【特許請求の範囲】
【請求項１】
一面が開口された開口部と、該開口部と対向し、貫通孔が設けられた主面部を有する中空の筐体と、
前記筐体に収納されると共に、第１の面部と該第１の面部と対向する第２の面部を貫通する孔を有する誘電体と、
前記誘電体の孔と前記筐体の主面部に設けた前記貫通孔とに挿入され、一端が前記筐体の主面部から前記筐体の外側に突出し、かつ他端が前記誘電体の第１の面部に当接するピンヘッド部を有する導電ピンと、
前記誘電体の第２の面部と前記筐体の主面部の間に介在される接触部と、前記筐体の主面部から前記筐体の外側に突出する端子片と、を有するリード電極と、
前記誘電体の第１の面部に近接して設けられる導電性弾性部材と、を備え、
前記リード電極の接触部または前記誘電体を付勢して、前記誘電体の第２の面部と前記リード電極の接触部を接触させる付勢部材を設けた
ことを特徴とする可変容量コンデンサ。
【請求項２】
外装部として形成されるケースと、
前記ケースに収納され、かつ前記ケースの外側に突出する指示部を有する棒状の芯体と、
前記芯体が押圧されることにより圧力を検出する可変容量コンデンサと、を備え、
前記可変容量コンデンサは、
一面が開口された開口部と、該開口部と対向し、貫通孔が設けられた主面部を有する中空の筐体と、
前記筐体に収納されると共に、第１の面部と該第１の面部と対向する第２の面部を貫通する孔を有する誘電体と、
前記誘電体の孔と前記筐体の主面部に設けた前記貫通孔とに挿入され、一端が前記筐体の主面部から前記筐体の外側に突出し、かつ他端が前記誘電体の第１の面部に当接するピンヘッド部を有する導電ピンと、
前記誘電体の第２の面部と前記筐体の主面部の間に介在される接触部と、前記筐体の主面部から前記筐体の外側に突出する端子片と、を有するリード電極と、
前記誘電体の第１の面部に近接して設けられる導電性弾性部材と、から構成され、
前記リード電極の接触部または前記誘電体を付勢して、前記誘電体の第２の面部と前記リード電極の接触部を接触させる付勢部材を設けた
ことを特徴とする位置指示器。
【請求項３】
前記付勢部材は、弾性を有するばね部を備え、該ばね部の弾性力により前記誘電体と前記リード電極の接触部とを付勢する
ことを特徴とする請求項２に記載の位置指示器。
【請求項４】
前記付勢部材は、さらに該付勢部材と前記導電ピンとを結合する結合部を備える
ことを特徴とする請求項３に記載の位置指示器。
【請求項５】
前記付勢部材は、該付勢部材と導電ピンとを結合する結合部材と、弾性を有する弾性部材とからなる
ことを特徴とする請求項４に記載の位置指示器。
【請求項６】
前記付勢部材は、前記リード電極の接触部に設けられた弾性を有するばね部からなり、前記筐体の主面部と前記誘電体との間に配設されて、前記リード電極の接触部と前記誘電体とを付勢する
ことを特徴とする請求項２に記載の位置指示器。
【請求項７】
前記ばね部は、前記リード電極の接触部において等角度間隔に複数形成されている
ことを特徴とする請求項６に記載の位置指示器。
【請求項８】
前記リード電極は、フープ成形により前記筐体と一体をなして形成される
ことを特徴とする請求項２〜７のいずれかに記載の位置指示器。
【請求項９】
入力面を有する位置検出装置と、
前記入力面に対して位置を指示する位置指示器と、を備えた座標入力装置であって、
前記位置指示器は、
外装部として形成されるケースと、
前記ケースに収納され、かつ前記ケースの外側に突出する指示部を有する棒状の芯体と、
前記芯体が押圧されることにより圧力を検出する可変容量コンデンサと、から構成されており、
前記可変容量コンデンサは、
一面が開口された開口部と、該開口部と対向し、貫通孔が設けられた主面部を有する中空の筐体と、
前記筐体に収納されると共に、第１の面部と該第１の面部と対向する第２の面部を貫通する孔を有する誘電体と、
前記誘電体の孔と前記筐体の主面部に設けた前記貫通孔とに挿入され、一端が前記筐体の主面部から前記筐体の外側に突出し、かつ他端が前記誘電体の第１の面部に当接するピンヘッド部を有する導電ピンと、
前記誘電体の第２の面部と前記筐体の主面部の間に介在される接触部と、前記筐体の主面部から前記筐体の外側に突出する端子片と、を有するリード電極と、
前記誘電体の第１の面部に近接して設けられ、前記誘電体に押圧される導電性弾性部材と、から構成され、
前記リード電極の接触部または前記誘電体を付勢して、前記誘電体の第２の面部と前記リード電極の接触部を接触させる付勢部材を設けた
ことを特徴とする座標入力装置。
【手続補正２】
【補正対象書類名】明細書
【補正対象項目名】００１１
【補正方法】変更
【補正の内容】
【００１１】
本発明の可変容量コンデンサは、一面が開口された開口部と、開口部と対向し、貫通孔が設けられた主面部を有する中空の筐体と、この筐体に収納されると共に、第１の面部とこの第１の面部と対向する第２の面部を貫通する孔を有する誘電体と、この誘電体の孔と筐体の主面部に設けた貫通孔とに挿入され、一端が筐体の主面部から筐体の外側に突出し、かつ他端が誘電体の第１の面部に当接するピンヘッド部を有する導電ピンと、誘電体の第２の面部と筐体の主面部の間に介在される接触部と、筐体の主面部から筐体の外側に突出する端子片と、を有するリード電極と、誘電体の第１の面部に近接して設けられる導電性弾性部材と、を備えている。そして、リード電極の接触部または誘電体を付勢して、誘電体の第２の面部とリード電極の接触部を接触させる付勢部材を設けたことを特徴とする。
【手続補正３】
【補正対象書類名】明細書
【補正対象項目名】００１２
【補正方法】変更
【補正の内容】
【００１２】
本発明の位置指示器は、外装部として形成されるケースと、このケースに収納され、かつケースの外側に突出する指示部を有する棒状の芯体と、この芯体が押圧されることにより圧力を検出する可変容量コンデンサと、を備えている。
この可変容量コンデンサは、上述したとおりのものであり、一面が開口された開口部と、開口部と対向し、貫通孔が設けられた主面部を有する中空の筐体と、この筐体に収納されると共に、第１の面部とこの第１の面部と対向する第２の面部を貫通する孔を有する誘電体と、この誘電体の孔と筐体の主面部に設けた貫通孔とに挿入され、一端が筐体の主面部から筐体の外側に突出し、かつ他端が誘電体の第１の面部に当接するピンヘッド部を有する導電ピンと、誘電体の第２の面部と筐体の主面部の間に介在される接触部と、筐体の主面部から筐体の外側に突出する端子片と、を有するリード電極と、誘電体の第１の面部に近接して設けられる導電性弾性部材と、を備えている。そして、リード電極の接触部または誘電体を付勢して、誘電体の第２の面部とリード電極の接触部を接触させる付勢部材を設けたことを特徴としている。
【手続補正４】
【補正対象書類名】明細書
【補正対象項目名】００１３
【補正方法】変更
【補正の内容】
【００１３】
また、本発明の座標入力装置は、入力面を有する位置検出装置と、この入力面に対して位置を指示する位置指示器と、を備えている。位置指示器は、上述したとおりのものであり、外装部として形成されるケースと、このケースに収納され、かつケースの外側に突出する指示部を有する棒状の芯体と、この芯体に押圧されることにより圧力を検出する可変容量コンデンサと、から構成されている。
可変容量コンデンサは、上述したものと同様に、一面が開口された開口部と、開口部と対向し、貫通孔が設けられた主面部を有する中空の筐体と、この筐体に収納されると共に、第１の面部とこの第１の面部と対向する第２の面部を貫通する孔を有する誘電体と、この誘電体の孔と筐体の主面部に設けた貫通孔とに挿入され、一端が筐体の主面部から筐体の外側に突出し、かつ他端が誘電体の第１の面部に当接するピンヘッド部を有する導電ピンと、誘電体の第２の面部と筐体の主面部の間に介在される接触部と、筐体の主面部から筐体の外側に突出する端子片と、を有するリード電極と、誘電体の第１の面部に近接して設けられる導電性弾性部材と、を備えている。そして、リード電極の接触部または誘電体を付勢して、誘電体の第２の面部とリード電極の接触部を接触させる付勢部材を設けたことを特徴としている。
【手続補正５】
【補正対象書類名】明細書
【補正対象項目名】００５５
【補正方法】変更
【補正の内容】
【００５５】
ここで、導電ピン１７のピンヘッド部３１が誘電体１６の座グリ穴に挿入されている。その結果、図１１に示すように、誘電体１６は、導電ピン１７により、スリーブ部１５内の主面部２３側に固定されている。そして、この第４の実施の形態に係る可変容量コンデンサ７０では、ばね部７１の弾性力により、リード電極１８の接触部３２がスリーブ部１５の主面部２３から離れる方向、すなわち誘電体１６の第２の面部２９側に付勢される。これらにより、この実施の形態においても、リード電極１８の接触部３２と誘電体１６の第２の面部２９を確実に接触させることができる。
【手続補正６】
【補正対象書類名】明細書
【補正対象項目名】００５９
【補正方法】変更
【補正の内容】
【００５９】
また、この実施の形態では、接触部３２にばね部を３つ設けた例を説明したが、これに限定されるものではなく、このばね部は、１個ないし２個あるいは４つ以上設けてもよい。
【手続補正７】
【補正対象書類名】明細書
【補正対象項目名】００６３
【補正方法】変更
【補正の内容】
【００６３】
なお、この実施の形態に係る可変容量コンデンサ８０によれば、接触部３２にばね部８１を等角度間隔に３つ設けることで、誘電体１６に係る圧力に偏りをなくすことができ、バランスよく誘電体１６の第２の面部２９と接触部３２を接触させることができる。また、誘電体１６が接触部３２のばね部８１によって傾くことを防止でき、誘電体１６と導電性弾性部材１９の接触面が傾くことを防止することが可能である。更に、ばね部８１の先端に凸部８２を設けたことにより、第２の面部２９に、面ではなく点で接触する。これにより、リード電極１８のプレス加工時の加工精度により、接触部３２にソリや浮きが発生しても、そのソリや浮きに影響を受けることなく、誘電体１６と接触部３２を確実に接触させることができる。
【手続補正８】
【補正対象書類名】明細書
【補正対象項目名】００７１
【補正方法】変更
【補正の内容】
【００７１】
そして、位置指示器１が位置検出部１０５に接近すると、位置指示器１は、内蔵された共振回路が共振し、誘導電圧を発生する。そして、位置検出部１０５は、ＣＰＵ１１４から供給される制御信号によって送受切替回路１０７の接点が受信側に切り替えられると、位置指示器１へ磁界が供給されなくなる。その結果、受信時に発生した誘導電圧により位置検出用コイル４から磁界が発生する。位置検出部１０５は、この位置検出用コイル４が発生した磁界を検出することで、位置指示器１の位置を検出するようになっている。
そして、ループコイルＸ１〜Ｘ４０，Ｙ１〜Ｙ４０の選択位置から位置指示器１が指示する位置をＸ−Ｙ座標として検出する。